(57)【特許請求の範囲】
【請求項１】
ＲＦＩＤ−ＩＣおよびアンテナからなるＲＦＩＤと、
前記ＲＦＩＤと有線接続されたＭＣＵと、
を備え、前記ＭＣＵは、起動すると、前記ＲＦＩＤに固有の数列を生成し、前記ＲＦＩＤのＥＰＣを前記固有の数列で上書きすることを特徴するＲＦＩＤ内蔵端末モジュール。
【請求項２】
前記ＭＣＵは、前記固有の数列で上書きした後に、所定のメモリに前記ＲＦＩＤのＥＰＣを上書きしたことを示すフラグを記録し、前記所定のメモリに前記フラグが記録されていない場合のみ前記固有の数列を生成することを特徴とする請求項１に記載のＲＦＩＤ内蔵端末モジュール。
【請求項３】
前記固有の数列を生成するステップは、前記ＲＦＩＤ−ＩＣのＴＩＤを元に前記固有の数列を生成することを特徴とする請求項１又は２に記載のＲＦＩＤ内蔵端末モジュール。
【請求項４】
前記ＲＦＩＤ内蔵端末モジュールは、前記ＭＣＵに有線接続された、前記ＲＦＩＤ以外のデバイスを備え、前記ＭＣＵは、前記デバイスに固有の番号を元に前記固有の数列を生成することを特徴とする請求項１又は２に記載のＲＦＩＤ内蔵端末モジュール。
【請求項５】
ＲＦＩＤ−ＩＣおよびアンテナからなるＲＦＩＤと、前記ＲＦＩＤと有線接続されたＭＣＵとを備えたＲＦＩＤ内蔵端末モジュールにおいて、
前記ＭＣＵが、起動すると、前記ＲＦＩＤに固有の数列を生成するステップと、
前記ＭＣＵが、生成した前記固有の数列で前記ＲＦＩＤのＥＰＣを上書きするステップと、
を有することを特徴とするＲＦＩＤの個別認識番号の仮採番方法。
【請求項６】
前記ＭＣＵが、前記固有の数列で上書きするステップの後に、所定のメモリに前記ＲＦＩＤのＥＰＣを上書きしたことを示すフラグを記録するステップをさらに有し、
前記固有の数列を生成するステップは、前記所定のメモリに前記フラグが記録されていない場合のみ前記固有の数列を生成することを特徴とする請求項５に記載のＲＦＩＤの個別認識番号の仮採番方法。
【請求項７】
前記固有の数列を生成するステップは、前記ＲＦＩＤ−ＩＣのＴＩＤを元に前記固有の数列を生成することを特徴とする請求項５又は６に記載のＲＦＩＤの個別認識番号の仮採番方法。
【請求項８】
前記ＲＦＩＤ内蔵端末モジュールは、前記ＭＣＵに有線接続された、前記ＲＦＩＤ以外のデバイスを備え、
前記固有の数列を生成するステップは、前記デバイスに固有の番号を元に前記固有の数列を生成することを特徴とする請求項５又は６に記載のＲＦＩＤの個別認識番号の仮採番方法。
【発明の詳細な説明】
【技術分野】
【０００１】
本発明は、ＭＣＵ（Ｍｉｃｒｏ  Ｃｏｎｔｒｏｌｌｅｒ  Ｕｎｉｔ）に接続されたＲＦＩＤ内蔵端末モジュールおよびＲＦＩＤの個別認識番号の仮採番方法に関する。
【背景技術】
【０００２】
現在、ＲＦＩＤ（Ｒａｄｉｏ  Ｆｒｅｑｕｅｎｃｙ  Ｉｄｅｎｔｉｆｉｅｒ）とリーダ／ライタとの間において非接触で情報の読み書きを行うＲＦＩＤシステムが、交通機関の乗車カードや電子マネーとして、また商品管理や検査工程等において利用されている。ＲＦＩＤは、無線ＩＣチップとそれに接続されたアンテナからなる。
【０００３】
ＲＦＩＤにＭＣＵ（Ｍｉｃｒｏ  Ｃｏｎｔｒｏｌｌｅｒ  Ｕｎｉｔ）を接続し、ＭＣＵをハブとしてＲＦＩＤを含む複数のデバイスと回路基板等を介して有線で接続された装置も存在する。例えば、図３に示すように、携帯電話端末で利用できるように拡張されたＲＦＩＤ３１０は、ＲＦＩＤ−ＩＣ３１１が携帯電話端末用処理装置３２０にも接続され、携帯電話端末側からＲＦＩＤ−ＩＣ３１１内の情報、例えば電子マネーの残高や利用履歴等をディスプレイに表示させたり、電子マネーの入金をしたりすることができる（特許文献１参照）。
【０００４】
リーダ／ライタは、どのＲＦＩＤと通信を開始するかを判定するために、ＲＦＩＤ−ＩＣに格納されたＥＰＣ（Ｅｌｅｃｔｒｏｎｉｃ  Ｐｒｏｄｕｃｔ  Ｃｏｄｅ）を用いる。すなわち、ＲＦＩＤと無線通信をする際、ＥＰＣを付加して通信を行い、ＲＦＩＤ側は、自身のＥＰＣと同一のＥＰＣが付加された通信コマンドを受信した場合、基本的に無条件にそのコマンドの要求に従う。
【０００５】
一方で、ＲＦＩＤ−ＩＣをアンテナと接続してＲＦＩＤを製造した時点でのＥＰＣ初期値は、多くの場合、同じ製造ラインで製造された全てのＲＦＩＤには同一の値が設定される。そのため、初期状態の同一のＥＰＣを持つ複数のＲＦＩＤは、そのＥＰＣと共に送信されたコマンド要求を受信すると、複数のＲＦＩＤが同時に同一の処理を行うことになる。
【０００６】
そのため、製造されたＲＦＩＤは、実際に使用する前にそれぞれ個別のＥＰＣを採番する必要がある。
【０００７】
尚、ＲＦＩＤは、パスワードをＥＰＣ、各コマンドに付加して通信を行い、ＥＰＣに加えパスワードも正しい場合のみコマンドの要求に従う構成とすることもできる。しかし、初期状態ではパスワードも同一であるため、同一のＥＰＣを持つＲＦＩＤが無線通信可能なエリア内に複数存在すると、パスワードを使用しても、そのＥＰＣを用いた通信によるコマンド要求を受信したＲＦＩＤは同時に同一の処理を行うことになる。
【先行技術文献】
【特許文献】
【０００８】
【特許文献１】特開２００７−１０４０９２号公報
【発明の概要】
【発明が解決しようとする課題】
【０００９】
しかし、通信可能距離内に複数のＲＦＩＤを置いて無線接続で採番すると、同時にそれら複数のＲＦＩＤに同一の処理をすることになり、採番後もＥＰＣが重複したものが出来てしまうという課題がある。
【００１０】
ＲＦＩＤが通信に利用する周波数帯は複数あり、通信可能距離が数十センチ前後と短いものの場合は、ライン上に数十センチ間隔で並べれば個別に通信することも不可能ではない。しかし、通信可能距離が２〜５ｍ程度と長いＵＨＦ帯を用いるＲＦＩＤの場合、ライン上に５ｍ間隔で並べるというのは非効率で現実的でない。
【００１１】
そのため、同一のＥＰＣを有するＵＨＦ帯のＲＦＩＤと効率良く個別に通信するためには、電波が特定のＲＦＩＤのみに届くようリーダ／ライタを遮蔽板の囲い、その中にＲＦＩＤを１つずつ入れる等の措置が必要になるが、採番工程が煩雑になるという課題があった。
【００１２】
本発明は、このような課題に鑑みてなされたもので、その目的とするところは、ＲＦＩＤに有線接続されたＭＣＵにより有線経由でＲＦＩＤに固有のＥＰＣを仮採番するＲＦＩＤ内蔵端末モジュールおよびＲＦＩＤの個別認識番号の仮採番方法を提供することにある。
【課題を解決するための手段】
【００１３】
上記の課題を解決するために、本発明は、ＲＦＩＤ内蔵端末モジュールであって、ＲＦＩＤ−ＩＣおよびアンテナからなるＲＦＩＤと、前記ＲＦＩＤと有線接続されたＭＣＵと、を備え、前記ＭＣＵは、起動すると、前記ＲＦＩＤに固有の数列を生成し、前記ＲＦＩＤのＥＰＣを前記固有の数列で上書きすることを特徴する。
【００１４】
請求項２に記載の発明は、請求項１に記載のＲＦＩＤ内蔵端末モジュールにおいて、前記ＭＣＵは、前記固有の数列で上書きした後に、所定のメモリに前記ＲＦＩＤのＥＰＣを上書きしたことを示すフラグを記録し、前記所定のメモリに前記フラグが記録されていない場合のみ前記固有の数列を生成することを特徴とする。
【００１５】
請求項３に記載の発明は、請求項１又は２に記載のＲＦＩＤ内蔵端末モジュールにおいて、前記固有の数列を生成するステップは、前記ＲＦＩＤ−ＩＣのＴＩＤを元に前記固有の数列を生成することを特徴とする。
【００１６】
請求項４に記載の発明は、請求項１又は２に記載のＲＦＩＤ内蔵端末モジュールにおいて、前記ＲＦＩＤ内蔵端末モジュールは、前記ＭＣＵに有線接続された、前記ＲＦＩＤ以外のデバイスを備え、前記ＭＣＵは、前記デバイスに固有の番号を元に前記固有の数列を生成することを特徴とする。
【００１７】
請求項５に記載の発明は、ＲＦＩＤの個別認識番号の仮採番方法であって、ＲＦＩＤ−ＩＣおよびアンテナからなるＲＦＩＤと、前記ＲＦＩＤと有線接続されたＭＣＵとを備えたＲＦＩＤ内蔵端末モジュールにおいて、前記ＭＣＵが、起動すると、前記ＲＦＩＤに固有の数列を生成するステップと、前記ＭＣＵが、生成した前記固有の数列で前記ＲＦＩＤのＥＰＣを上書きするステップと、を有することを特徴とする。
【００１８】
請求項６に記載の発明は、請求項５に記載のＲＦＩＤの個別認識番号の仮採番方法において、前記ＭＣＵが、前記固有の数列で上書きするステップの後に、所定のメモリに前記ＲＦＩＤのＥＰＣを上書きしたことを示すフラグを記録するステップをさらに有し、前記固有の数列を生成するステップは、前記所定のメモリに前記フラグが記録されていない場合のみ前記固有の数列を生成することを特徴とする。
【００１９】
請求項７に記載の発明は、請求項５又は６に記載のＲＦＩＤの個別認識番号の仮採番方法において、前記固有の数列を生成するステップは、前記ＲＦＩＤ−ＩＣのＴＩＤを元に前記固有の数列を生成することを特徴とする。
【００２０】
請求項８に記載の発明は、請求項５又は６に記載のＲＦＩＤの個別認識番号の仮採番方法において、前記ＲＦＩＤ内蔵端末モジュールは、前記ＭＣＵに有線接続された、前記ＲＦＩＤ以外のデバイスを備え、前記固有の数列を生成するステップは、前記デバイスに固有の番号を元に前記固有の数列を生成することを特徴とする。
【発明の効果】
【００２１】
本発明は、ＵＨＦ帯のＲＦＩＤなど、通信可能距離が比較的長い周波数帯を利用するＲＦＩＤであっても、製造直後から無線通信でも各ＲＦＩＤに固有のＥＰＣに基づき各ＲＦＩＤへの個別のアクセスを可能にする。
【図面の簡単な説明】
【００２２】
【図１】ＲＦＩＤ内蔵端末モジュール１００の構成を示す図である。
【図２】本発明の一実施形態に係るＲＦＩＤの個別認識番号の仮採番方法を説明するフローチャートである。
【図３】従来のＲＦＩＤの構成例を示す図である。
【発明を実施するための形態】
【００２３】
以下、本発明の実施の形態について、詳細に説明する。
【００２４】
本発明は、ＭＣＵ（Ｍｉｃｒｏ  Ｃｏｎｔｒｏｌｌｅｒ  Ｕｎｉｔ）との有線通信用インターフェースを備えたＲＦＩＤが、ＭＣＵとその有線通信用インターフェースを介して有線接続されたＲＦＩＤ内蔵端末モジュールにおけるＲＦＩＤの仮採番方法である。
【００２５】
図１に、ＲＦＩＤ内蔵端末モジュール１００の構成を示す。ＲＦＩＤ１１０は、ＲＦＩＤ−ＩＣ１１１とアンテナ１１２からなり、ＭＣＵ１２０は、ＲＦＩＤ１１０の他に、ディスプレイ、メモリ、センサ、バッテリーや、他のＲＦＩＤなど、様々なデバイス１３０と接続可能である。このようにＲＦＩＤ内蔵端末モジュール１００は、ＭＣＵ１２０をハブとしてＲＦＩＤ１１０と複数のデバイス１３０とが有線接続されたモジュールである。
【００２６】
ＲＦＩＤ内蔵端末モジュール１００の製造工程では、通常、ＲＦＩＤ１１０、ＭＣＵ１２０およびその他の全てのデバイス１３０が基板に実装された後に導通試験を行うが、本発明では、その導通試験時に併せて以下の手順で仮採番を行う。
【００２７】
図２に、本発明の一実施形態に係るＲＦＩＤの個別認識番号の仮採番方法を説明するフローチャートを示す。先ず、ＲＦＩＤ１１０と有線接続されたＭＣＵ１２０に電源を接続して起動する（ステップ２０１）。起動したＭＣＵ１２０は、仮採番を過去に行ったことを示すフラグを予め定められた格納場所に読みにいく（ステップ２０２）。このフラグの格納場所は、ＭＣＵ１２０が有する不揮発性メモリやモジュール内の他のデバイス１３０が有する不揮発性メモリとすることができる。ＭＣＵ１２０は、フラグを読みに行った際、過去に仮採番を行ったことを示すフラグが記録されていると判定した場合、仮採番処理を終了し、フラグが記録されていないと判定した場合、仮採番処理を進める（ステップ２０３）。
【００２８】
ＭＣＵ１２０は、ＲＦＩＤ−ＩＣ１１１のＴＩＤ（Ｔａｇ  ｉｄｅｎｔｉｆｉｅｒ）を有線インターフェース経由で取得する（ステップ２０４）。ＭＣＵ１２０は、ステップ２０４で取得したＴＩＤを元にＲＦＩＤ１１０に固有の数列を生成する（ステップ２０５）。ＭＣＵ１２０がステップ２０５で生成した数列を、有線インターフェース経由でＲＦＩＤ−ＩＣ１１１のＥＰＣに上書きする（ステップ２０６）。ステップ２０６を行った後、ＭＣＵ１２０は、仮採番を行ったことを示すフラグをモジュール内の予め定められた格納場所である不揮発性メモリに記録する（ステップ７）。
【００２９】
このように、モジュール製造時にＥＰＣをＴＩＤに基づく固有な番号に採番しておくことにより、正式なＥＰＣを無線通信で採番する際、周囲に採番前のＲＦＩＤが存在したとしても無線通信の衝突等が起こらず、また、この際に、複数のＲＦＩＤに同一のＥＰＣを採番してしまうといった事態を避けることができる。
【００３０】
尚、ＴＩＤを有線インターフェース経由でＲＦＩＤ−ＩＣ１１１から取得し、ＴＩＤを元に固有の数列を生成するとしたが、ＴＩＤの他にも、ＭＣＵ１２０に接続されている他のデバイス１３０が持つ固有のＩＤを元に固有のＥＰＣを生成しても良い。
【００３１】
また、数列の生成方法としては上記方法に限らず、ＴＩＤをそのままＥＰＣの先頭バイトから上書きする方法、ＴＩＤの先頭に適当なヘッダ情報を付加する方法、適当な関数を通して重複の無い数列を生成する方法など、重複の無い数列を生成可能な方法であれば良い。
【符号の説明】
【００３２】
１００  ＲＦＩＤ内蔵端末モジュール
１１０  ＲＦＩＤ
１１１  ＲＦＩＤ−ＩＣ
１１２  アンテナ
１２０  ＭＣＵ
１３０  デバイス
【図１】
0006459779.tif 000002
【図２】
0006459779.tif 000003
【図３】
0006459779.tif 000004